(57)【要約】      （修正有）【課題】薬剤が金属部材に接触することがなく、構造が簡単な鼻腔噴射器を提供する。【解決手段】押し圧体と、固定カバーと、可動桿と、弾性部材と、ピストンブロックと、缶体とを含む。押し圧体が上方に噴射ノズルを、下段に中空の管体を含む。固定カバーは一端が容器開口と接続固定され、上段部に押し圧体を支持する開口を中心に貫通孔を含む。可動桿が上段部に管体を挿設するスリーブを、下段部外縁上の軸方向に複数の溝を具えた柱状部と、スリーブと柱状部との間に凸部を具えた環状部とを含む。弾性部材が押し圧体の管体に穿設される。ピストンブロックが可動桿の上段部に穿設され、中心に孔を設けてなり、孔とスリーブの外壁との間に貫通路が形成され、孔の底部周辺は凸部に嵌合する。缶体は下方にいくに従い口径が狭くなり、上端部内部に収納空間を、上段部と下端部とが接続する部分に弁を設けてなる。【選択図】図１
0003162141.tif 000002
【実用新案登録請求の範囲】
【請求項１】
押し圧体と、固定カバーと、可動桿と、弾性部材と、ピストンブロックと、缶体とを含んでなり、
該押し圧体が、上方に設けられた液体の薬剤を噴出するための噴射ノズルと、下段に設けられた中空のフレーム構造の管体とを含んでなり、
該固定カバーが、容器の開口上に対応して設けられ、鼻腔噴射器と容器とを接続、固定し、上段部の開口が上方に向けて押し圧体を支持し、中心に貫通して貫通孔が設けられ、管体を穿設し、
該可動桿が、上段部の管体を挿設するスリーブに形成し、下段部を外縁上の軸方向に複数の溝を具えた柱状部に形成し、スリーブと柱状部との間に凸部を具えた環状部が設けられ、
該弾性部材が、押し圧体の管体に穿設し、固定カバーとの間に設けられ、押し圧体と可動桿とに上方へ移動する回復力を提供し、
該ピストンブロックが、可動桿の上段部上に穿設され、中心にスリーブが挿設される孔を設けてなり、該孔とスリーブの外壁との間に貫通路が形成され、該孔の底部周辺は凸部に嵌合して気密な状態を形成し、弾性部材の回復力で可動桿が開閉往復運動し、
該缶体は上部が広く、下方にいくにしたがって狭くなる貫通した管体で、口径が広い上端部と口径が狭い下端部とを含んでなり、上端部は内部にピストンブロックと可動桿とを収納する収納空間を設けてなり、上段部と下端部とが接続する部分に一体に形成された弁を設けてなり、可動桿と緊密に接続し、部材を組み合わせた後、固定カバーで液体の薬剤が充填された容器と接続され、汲み取った薬剤が噴射ノズルを介して霧状に噴射されることを特徴とする鼻腔噴射器。
【請求項２】
前記固定カバーが、内縁部に容器と接続、固定するためのネジ溝部を設けてなることを特徴とする請求項１に記載の鼻腔噴射器。
【請求項３】
前記孔の底部と凸部との間が開放時に隙間が形成されることを特徴とする請求項１に記載の鼻腔噴射器。
【請求項４】
前記缶体が、下端部の下方に接続部を設けてなることを特徴とする請求項１に記載の鼻腔噴射器。
【請求項５】
前記接続部が、上方に容器内部に延伸する吸入管を設けてなることを特徴とする請求項４に記載の鼻腔噴射器。
【請求項６】
前記弁が、下端部に沿って上端部に向けて延伸するとともに口が縮小していく端縁部を設けてなり、該端縁部が弾性を具え、柱状部の外周面を被覆するように設け、柱状部と緊密に接続することを特徴とする請求項１に記載の鼻腔噴射器。
【考案の詳細な説明】
【技術分野】
【０００１】
この考案は、鼻腔噴射器であって、特に液体の薬を鼻腔に噴射するために使用する鼻腔噴射器に関する。
【背景技術】
【０００２】
現在、世界各国では工業が急速に発展したため、土地が大幅に開発されて空気の汚染が深刻になり、排出される気体が日増しに増加している。
【０００３】
よって、呼吸器官が敏感な人にとっては、鼻腔アレルギーになる主な原因になっている。また、喘息の患者が正常に呼吸できない状態を引き起こす。
【０００４】
このため多くの人が呼吸器に関する健康問題を抱えているため、適宜な飲食で体の機能の健康を維持しなければならない。
【０００５】
また、薬物や特殊な器具（鼻腔噴射器など）を使用しなければ、患者が日常生活を快適で平穏に過ごすことができない。
【０００６】
前述のように、鼻腔噴射器を使用して鼻腔を保護する者や喘息患者にとって、鼻腔噴射器は不可欠な必需品となっている。
【０００７】
よって、実用性に適しているか否か、販売促進や消費者を引き付けるかどうかが重点になっている。
【０００８】
従来、一般的によく見られる鼻腔噴射器１００は、図５に開示するように、噴射ノズル１０１ａを具えた噴射ヘッド１０１と、該噴射ヘッド１０１の下方の一端に設けらるカバー１０２とを含んでなる。
【０００９】
該カバー１０２は、座管１０３を穿設する。該座管１０３は底端に環状弁１０３ａを設けてなり、錐形管１０４に接続して設けられる。
【００１０】
該錐形管１０４は内部にボール１０７が設けられ、外側に設けられた孔１０４ａがちょうどボール１０７でふさがれ、底端に管体１０５が穿設される。
【００１１】
管体１０５は一端にバネ１０６を設けてなる。収納管１０８は前述の座管１０３と、錐形管１０４と、管体１０５と、バネ１０６とを上から下へ順に収納管１０８内に設けるために供する。
【００１２】
収納管１０８は底端に開口１０８ａを備えてなり、該開口１０８ａの下方には吸入管１０９が接続して設けられる。
【００１３】
上述の部材を組み合わせた後、カバー１０２を利用して液体の薬が入った缶体（図示しない）に組み合わせると、薬の液体が噴射ノズル１０１ａから吸入されて噴射される。
【００１４】
上述のように、使用する場合、噴射ヘッド１０１を押し圧すると、缶体の空気が瞬間的に噴射ヘッド１０１の噴射ノズル１０１ａから噴射される。
【００１５】
同時にサイフォンの作用で缶体内の液体の薬と共に空気が吸入管１０９から収納管１０８内に入る。
【００１６】
この時、座管１０３の環状弁１０３ａが収納管１０８に沿って内壁面を下方向に移動する。該環状弁１０３ａの外周縁部が孔径の比較的狭い開口１０８ａに接触すると、密閉された空間が形成される。
【００１７】
このため、液体薬が確実に圧力を受けて収納管１０８内に設けられた液体薬が錐形管１０４の孔１０４ａから上方へ急速に流動し、座管１０３を介して液体薬が噴射ヘッド１０１の噴射ノズル１０１ａから噴射される。
【００１８】
噴射ヘッド１０１を開くと、缶体内の液体薬が再度、空気と共に吸入管１０９から収納管１０８内に移動する。
【００１９】
図６は、従来の他の鼻腔噴射器２００を示したものである。
【００２０】
図面によれば、鼻腔噴射器２００は、噴射ノズル２０１ａを具えた噴射ヘッド２０１をカバー２０２上に設けてなる。
【００２１】
第一管体２０３は上端部がカバー２０２の溝孔２０２ａに穿設されるため、噴射ヘッド２０１と接続して組み合わせられる。
【００２２】
該第一管体２０３は底端部に第二カバー２０４を穿設し、座管２０５を被覆するように接続する。
【００２３】
座管２０５は上段に設けられた溝２０５ａを設けてなり、下方にバネ２０６を組み合わせて設ける。該バネ２０６の下方にはボール２０７が設けられ、上から下へ次第に直径が狭くなり、且つ口部２０８ａを設けた収納管２０８内に設けられる。
【００２４】
該収納管２０８の底端には吸入管２０９が設けられる。
【００２５】
上述の部材を組み合わせた後、カバー２０２を組み合わせて液体の薬が充填された缶体（図示しない）に接続すると、液体の薬が噴射ノズル２０１ａを通して噴射される。
【００２６】
上述の製品を使用する場合、噴射ヘッド２０１を押し圧すると、缶体内の空気が瞬間的に噴射ヘッド２０１の噴射ノズル２０１ａから噴出し、サイフォン効果で噴射ヘッド２０１内の液体の薬が空気と一緒に吸入管２０９から収納管２０８内に流動する。
【００２７】
バネ２０６の弾性で伸縮するため、座管２０５底部がボール２０７を押し圧し、ボール２０７が収納管２０８の口部２０８ａを塞ぐと、座管２０５と第二カバー２０４とに隙間が発生し、収納管２０８内の液体の薬が隙間に沿って座管２０５の外縁の溝２０５ａから第一管体２０３内に流れ出す。
【００２８】
第一管体２０３を介して液体の薬と空気が噴射ヘッド２０１の噴射ノズル２０１ａから噴出される。
【００２９】
噴射ヘッド２０１を開くと、缶体内の液体の薬が空気と一緒に吸入管２０９から収納管２０８内に流動する。
【００３０】
上述のように、従来の鼻腔噴射器（１００、２００）は、液体の薬を噴射する目的を達成することができるが、バネ１０６、２０６、ボール１０７、２０７など金属の部材がいずれも収納管１０８、２０８内に設けられる。
【００３１】
よって、缶体内の液体の薬が長時間、該金属の部材と接触するため薬剤に化学変化が発生し、薬剤の質が変化し易い。
【００３２】
また、構造を知らない使用者が変質した薬剤を噴射すれば、人体や生命の安全に影響を与えるため、前述の問題を重視しないわけにはいかず、改善する必要がある。
【００３３】
さらに、変質した薬剤を廃棄する場合、希釈して回収することが難しいため、環境を汚染することになる。
【００３４】
上述の従来の鼻腔噴射器１００、２００は部材が非常に多く、生産コストが増加し、組み立て、取り外しが難しく、実用的でない。
【考案の開示】
【考案が解決しようとする課題】
【００３５】
この考案は、薬剤が金属部材に接触することがなく、構造が簡単な鼻腔噴射器を提供することを課題とする。
【課題を解決するための手段】
【００３６】
そこで、本考案者は従来の技術に見られる欠点に鑑みて鋭意研究を重ねた結果、押し圧体と、固定カバーと、可動桿と、弾性部材と、ピストンブロックと、缶体とを含んでなり、
該押し圧体が、上方に設けられた液体の薬剤を噴出するための噴射ノズルと、下段に設けられた中空のフレーム構造の管体とを含んでなり、
該固定カバーが、容器の開口上に対応して設けられ、鼻腔噴射器と容器とを接続、固定し、上段部の開口が上方に向けて押し圧体を支持し、中心に貫通して貫通孔が設けられ、管体を穿設し、
該可動桿が、上段部の管体を挿設するスリーブに形成し、下段部を外縁上の軸方向に複数の溝を具えた柱状部に形成し、スリーブと柱状部との間に凸部を具えた環状部が設けられ、
該弾性部材が、押し圧体の管体に穿設し、固定カバーとの間に設けられ、押し圧体と可動桿とに上方へ移動する回復力を提供し、
該ピストンブロックが、可動桿の上段部上に穿設され、中心にスリーブが挿設される孔を設けてなり、該孔とスリーブの外壁との間に貫通路が形成され、該孔の底部周辺は凸部に嵌合して気密な状態を形成し、弾性部材の回復力で可動桿が開閉往復運動し、
該缶体は上部が広く、下方にいくにしたがって狭くなる貫通した管体で、口径が広い上端部と口径が狭い下端部とを含んでなり、上端部は内部にピストンブロックと可動桿とを収納する収納空間を設けてなり、上段部と下端部とが接続する部分に一体に形成された弁を設けてなり、可動桿と緊密に接続し、部材を組み合わせた後、固定カバーで液体の薬剤が充填された容器と接続され、汲み取った薬剤が噴射ノズルを介して霧状に噴射される鼻腔噴射器によって課題を解決できる点に着眼し、かかる知見に基づいて本考案を完成させた。
【００３７】
以下、この考案について具体的に説明する。
請求項１に記載する鼻腔噴射器は、押し圧体と、固定カバーと、可動桿と、弾性部材と、ピストンブロックと、缶体とを含んでなり、
該押し圧体が、上方に設けられた液体の薬剤を噴出するための噴射ノズルと、下段に設けられた中空のフレーム構造の管体とを含んでなり、
該固定カバーが、容器の開口上に対応して設けられ、鼻腔噴射器と容器とを接続、固定し、上段部の開口が上方に向けて押し圧体を支持し、中心に貫通して貫通孔が設けられ、管体を穿設し、
該可動桿が、上段部の管体を挿設するスリーブに形成し、下段部を外縁上の軸方向に複数の溝を具えた柱状部に形成し、スリーブと柱状部との間に凸部を具えた環状部が設けられ、
該弾性部材が、押し圧体の管体に穿設し、固定カバーとの間に設けられ、押し圧体と可動桿とに上方へ移動する回復力を提供し、
該ピストンブロックが、可動桿の上段部上に穿設され、中心にスリーブが挿設される孔を設けてなり、該孔とスリーブの外壁との間に貫通路が形成され、該孔の底部周辺は凸部に嵌合して気密な状態を形成し、弾性部材の回復力で可動桿が開閉往復運動し、
該缶体は上部が広く、下方にいくにしたがって狭くなる貫通した管体で、口径が広い上端部と口径が狭い下端部とを含んでなり、上端部は内部にピストンブロックと可動桿とを収納する収納空間を設けてなり、上段部と下端部とが接続する部分に一体に形成された弁を設けてなり、可動桿と緊密に接続し、部材を組み合わせた後、固定カバーで液体の薬剤が充填された容器と接続され、汲み取った薬剤が噴射ノズルを介して霧状に噴射される。
【００３８】
請求項２に記載の鼻腔噴射器は、請求項１における固定カバーが、内縁部に容器と接続、固定するためのネジ溝部を設けてなる。
【００３９】
請求項３に記載の鼻腔噴射器は、請求項１における孔の底部と凸部との間が開放時に隙間が形成される。
【００４０】
請求項４に記載の鼻腔噴射器は、請求項１における缶体が、下端部の下方に接続部を設けてなる。
【００４１】
請求項５に記載の鼻腔噴射器は、請求項４における接続部が、上方に容器内部に延伸する吸入管を設けてなる。
【００４２】
請求項６に記載の鼻腔噴射器は、請求項１における弁が、下端部に沿って上端部に向けて延伸するとともに口が縮小していく端縁部を設けてなり、該端縁部が弾性を具え、柱状部の外周面を被覆するように設け、柱状部と緊密に接続するために供する。
【考案の効果】
【００４３】
この考案の鼻腔噴射器は、組み立てが簡単でコストが安く、薬剤の質が変化しないため安全で実用的であるという効果を有する。
【考案を実施するための形態】
【００４４】
この考案は、薬剤が金属部材に接触することがなく、構造が簡単な鼻腔噴射器であって、押し圧体と、固定カバーと、可動桿と、弾性部材と、ピストンブロックと、缶体とを含んでなり、
該押し圧体が、上方に設けられた液体の薬剤を噴出するための噴射ノズルと、下段に設けられた中空のフレーム構造の管体とを含んでなり、
該固定カバーが、容器の開口上に対応して設けられ、鼻腔噴射器と容器とを接続、固定し、上段部の開口が上方に向けて押し圧体を支持し、中心に貫通して貫通孔が設けられ、管体を穿設し、
該可動桿が、上段部の管体を挿設するスリーブに形成し、下段部を外縁上の軸方向に複数の溝を具えた柱状部に形成し、スリーブと柱状部との間に凸部を具えた環状部が設けられ、
該弾性部材が、押し圧体の管体に穿設し、固定カバーとの間に設けられ、押し圧体と可動桿とに上方へ移動する回復力を提供し、
該ピストンブロックが、可動桿の上段部上に穿設され、中心にスリーブが挿設される孔を設けてなり、該孔とスリーブの外壁との間に貫通路が形成され、該孔の底部周辺は凸部に嵌合して気密な状態を形成し、弾性部材の回復力で可動桿が開閉往復運動を形成し、
該缶体は上部が広く、下方にいくにしたがって狭くなる貫通した管体で、口径が広い上端部と口径が狭い下端部とを含んでなり、上端部は内部にピストンブロックと可動桿とを収納する収納空間を設けてなり、上段部と下端部とが接続する部分に一体に形成された弁を設けてなり、可動桿と緊密に接続し、部材を組み合わせた後、固定カバーで液体の薬剤が充填された容器と接続され、汲み取った薬剤が噴射ノズルを介して霧状に噴射される鼻腔噴射器の構造と特徴を詳述するために具体的な実施例を挙げ、図示を参照にして以下に説明する。
【実施例】
【００４５】
図１、図２は、この考案の鼻腔噴射器を示したものである。
【００４６】
図面によれば、この考案の鼻腔噴射器１０は、容器２０内の液体の薬剤を吸い取って噴射する。
【００４７】
該鼻腔噴射器１０は、押し圧体１と、固定カバー２と、可動桿３と、ピストンブロック４と、弾性部材５と、缶体６とを含んでなる。
【００４８】
該押し圧体１は、上方に液体の薬剤を噴射するために供する噴射ノズル１１が設けられ、下段が中空のフレーム構造の管体１２を具えてなる。
【００４９】
該固定カバー２は、内縁部にネジ溝部２３を具えた薄いケース状で、容器２０の開口上に接続して設けられ、噴射器１０と容器２０とを接続して固定する。また、固定カバー２は上段部の開口２１が上方に向けて押し圧体１を支持し、中心には貫通した貫通孔２２が設けられ、管体１２を穿設するために供する。
【００５０】
可動桿３は、上段部が管体１２を接続するためのスリーブ３１であって、下段部が外縁上の軸方向に複数の溝３２１を具えた柱状部３２を設けてなる。
【００５１】
該柱状部３２は、上端に端縁部３２２を設けてなり、柱状部３２とスリーブ３１との間には環状部３３が設けられる。
【００５２】
該環状部３３には凸部３３１が形成される。
【００５３】
該弾性部材５は、押し圧体１の管体１２に穿設し固定カバー２との間に設けられ、押し圧体１と可動桿３に上方へ移動する回復力を供する。
【００５４】
該ピストンブロック４は、可動桿３の上段部上に穿設され、中心にスリーブ３１が挿設される孔４１を設けてなる。
【００５５】
該孔４１の内径はスリーブ３１の外径よりも広く、貫通路４２が形成される。また、孔４１の底部周辺は凸部３３１に嵌合して気密な状態を形成する。
【００５６】
弾性部材の回復力で可動桿３が開閉往復運動を形成する。
【００５７】
該缶体６は、上部が広く、下方にいくにしたがって狭くなる貫通した管体で、口径が比較的広い上端部６１と口径が比較的狭い下端部６２とを含んでなる。
【００５８】
該上端部６１は内部にピストンブロック４と可動桿３とを収納する収納空間６１１を設けてなる。
【００５９】
該下端部は下方に端縁部３２２と互いに嵌合する開口６２１を設けてなり、容器２０方向に延伸した吸入管７に接続する接続部６２２が設けられる。
【００６０】
上端部６１と下端部６２とが互いに接続する部分に一体に成形された弁６３を設けてなる。
【００６１】
該弁６３は下端部６２に沿って上端部６１に向けて延伸するとともに口が縮小していく端縁部６３１を設けてなる。
【００６２】
該端縁部６３１は弾性を具え、柱状部３２の外周面を被覆するように設けられ、柱状部３２と緊密に接続するために供する。
【００６３】
上述の押し圧体１、固定カバー２、可動桿３、ピストンブロック４、弾性部材５、缶体６などの部材を組み合わせた後、固定カバー２で液体の薬剤を充填した容器２０に接続すると、薬剤が噴射ノズル１１を介して噴射される。
【００６４】
ピストンブロック４を可動桿３上に設けると、両者が空気の圧力を受けて開閉するようになる。
【００６５】
開いた上体になると、孔４１の底部と凸部３３１との間が開放時に隙間８が形成され、容器２０内の薬剤が該隙間８から貫通路４２を介して管体１２に流動し、押し圧体１の噴射ノズル１１から霧状に噴射される。
【００６６】
図３と、図１、２によれば、この考案の鼻腔噴射器の押し圧体１は下方向の圧力を受けると、可動桿３が圧力を受けて連動し、次第に下降する。
【００６７】
同時に、缶体６の下端部６２内の空間が次第に圧縮されて可動桿３の端縁部３２２が下方に移動して缶体６の開口６２１を塞ぐ。
【００６８】
また、弁６３の端縁部６３１がそれぞれ柱状部３２の上半部に当接し、缶体６に密閉された状態を形成する。
【００６９】
もともと緊密に密閉された環状部３３の凸部３３１とピストンブロック４底部とが開放されて出口である隙間８が形成されると、液体の薬剤が瞬間的に高圧で貫通路４２と管体１２とを介して噴射ノズル１１から霧状で噴射される。
【００７０】
図４と、図１から図３によれば、一度押し圧して押し圧部１が開放されると、弾性部材５の回復張力で可動桿３と押し圧体１が上方に弾性で回復し、環状部３３の凸部３３１とピストンブロック４底部が気密で密封された状態に回復する。
【００７１】
前述の場合、可動桿３の端縁部３２２が缶体６の開口６２１から離れて、弁６３の端縁部６３１が溝３２１の下方に当接して開放される。
【００７２】
容器２０内の空気が圧力を受けて瞬間的に上昇すると、サイフォンの効果で吸引力が発生する。
【００７３】
よって、液体の薬剤が自然に吸入管７から開口６２１を介して溝３２１に流動し、収納空間６１１内に達し、次に押し圧されるのを待機する状態になる。
【００７４】
この考案の鼻腔噴射器は、部材が比較的少なく、組み合わせがすばやく実施できるため、作業時間を縮小するとともに、コストを低減することができ、組み立てが簡単で作業効率を高めることができる。
【００７５】
また、弾性部材５が管体１２と固定カバー２との間に設けられ、弁６３の端縁部６３１と、柱状部３２などの部材が従来のボールの代わりとして目的を達成するため、容器２０内の液体の薬剤が金属部材に接触することがなく、薬剤の品質が変化することがない。
【００７６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００７７】
【図１】この考案の鼻腔噴射器を示した分解図である。
【図２】この考案の鼻腔噴射器を示した断面図である。
【図３】この考案の鼻腔噴射器を操作した状態を示した説明図である。
【図４】この考案の鼻腔噴射器を操作した状態を示した説明図である。
【図５】従来の鼻腔噴射器を示した分解図である。
【図６】従来の他の鼻腔噴射器を示した分解図である。
【符号の説明】
【００７８】
１       押し圧体
１０     鼻腔噴射器
１１     噴射ノズル
１２     管体
２       固定カバー
２０     容器
２１     開口
２２     貫通孔
２３     ネジ溝部
３       可動桿
３１     スリーブ
３２     柱状部
３２１   溝
３２２   端縁部
３３     環状部
３３１   凸部
４       ピストンブロック
４１     孔
４２     貫通路
５       弾性部材
６       缶体
６１     上端部
６１１   収納空間
６２     下端部
６２１   開口
６２２   接続部
６３     弁
６３１   端縁部
７       吸入管
８       隙間
１００   鼻腔噴射器
１０１   噴射ヘッド
１０１ａ 噴射ノズル
１０２   カバー
１０３   座管
１０３ａ 環状弁
１０４   錐形管
１０４ａ 孔
１０５   管体
１０６   バネ
１０７   ボール
１０８   収納管
１０８ａ 開口
１０９   吸入管
２００   鼻腔噴射器
２０１   噴射ヘッド
２０１ａ 噴射ノズル
２０２   カバー
２０２ａ 溝孔
２０３   第一管体
２０４   第二カバー
２０５   座管
２０５ａ 溝
２０６   バネ
２０７   ボール
２０８   収納管
２０８ａ 口部
２０９   吸入管
【図１】
0003162141.tif 000003
【図２】
0003162141.tif 000004
【図３】
0003162141.tif 000005
【図４】
0003162141.tif 000006
【図５】
0003162141.tif 000007
【図６】
0003162141.tif 000008